(57)【要約】  少なくとも、インキ及び／又はワニスの飛び散りによる及び通常の汚れの蓄積による影響を最も受ける主表面のための、少なくとも１つの交換可能保護粘着フィルム（１）を含む印刷機。印刷機は、インキ及び／又はワニス及び／又は糊／接着剤及び／又は染料の飛び散りによる及び通常の汚れの蓄積による影響を最も受ける印刷機（１０）の主表面に取り付けられた、少なくとも１つの交換可能な保護粘着フィルム（１）を含み、交換可能な保護粘着フィルム（１）は、主表面と接触し、かつ接着性物質（４）で被覆された第一の面（３）と、グラフィック及び包装産業で用いられるインキ、ワニス及び溶剤及び／又は糊／接着剤及び／又は染料のような強い薬剤に対して高い撥液性を有するワニス（６）で被覆された、第一の面（３）の反対側の第二の面（５）と、を有するポリマー基材（２）を含む。【選択図】図１
2016503355.tif 000002
【特許請求の範囲】
【請求項１】
印刷機において、インキ及び／又はワニス及び／又は糊／接着剤及び／又は染料の飛び散りによる及び通常の汚れの蓄積による影響を最も受ける前記印刷機（１０）の主表面に取り付けられた、少なくとも１つの交換可能な保護粘着フィルム（１）を含み、交換可能な前記保護粘着フィルム（１）は、前記主表面と接触し、かつ接着性物質（４）で被覆された第一の面（３）と、グラフィック及び包装産業で用いられる前記インキ、ワニス及び溶剤及び／又は糊／接着剤及び／又は染料のような強い薬剤に対して高い撥液性を有するワニス（６）で被覆された、前記第一の面（３）の反対側の第二の面（５）と、を有するポリマー基材（２）を含むことを特徴とする印刷機。
【請求項２】
前記保護粘着フィルム（１）が、熱成形可能であり、前記印刷機の前記主表面の外形に適合可能であることを特徴とする、請求項１に記載の印刷機。
【請求項３】
前記ポリマー基材（２）の前記第二の面（５）と撥液性の前記ワニス（６）との間にグラフィック表示の印刷が存在することを特徴とする、請求項１又は２に記載の印刷機。
【請求項４】
接着剤で被覆された前記ポリマー基材（２）が２５ミクロンを超える厚さを有し、前記ワニス（６）が５０ミクロン未満の厚さを有することを特徴とする、請求項１〜３のいずれか一項に記載の印刷機。
【請求項５】
前記ワニス（６）が、接着剤で被覆された前記ポリマー基材（２）と実質的に同じ伸び率及び熱成形性の物理的性質を有することを特徴とする、請求項１〜４のいずれか一項に記載の印刷機。
【請求項６】
前記保護粘着フィルム（１）が、前記印刷機（１０）の前記主表面の不定形状に応じて打抜きされることを特徴とする、請求項１〜５のいずれか一項に記載の印刷機。
【請求項７】
前記ポリマー基材（２）が、ＰＶＣ、ポリウレタン、ポリエステル、ポリカーボネート、ポリアクリレート、再生可能資源から生成されたコポリマー及びポリマーブレンド又はポリマーのうちの少なくとも１つを含む材料で作成されることを特徴とする、請求項１〜６のいずれか一項に記載の印刷機。
【請求項８】
撥液性の前記ワニス（６）が、少なくとも１つの脂肪族アクリル化ウレタンと、モノアクリレートモノマー又はジアクリレートモノマーのうちの少なくとも１つと、少なくとも１つの光開始剤と、アクリル化シリコーン又はシリカのうちの少なくとも１つと、少なくとも１つのフッ素化ポリマーとを含む配合を有する、ＵＶ架橋ワニスであることを特徴とする、請求項１〜７のいずれか一項に記載の印刷機。
【請求項９】
撥液性の前記ワニス（６）が、非ＵＶ系の水性、溶剤型、又は二液性のワニスであることを特徴とする、請求項１〜８のいずれか一項に記載の印刷機。
【請求項１０】
インキ及び／又はワニス及び／又は糊／接着剤及び／又は染料の飛び散りによる及び通常の汚れの蓄積による影響を最も受ける印刷機（１０）の主表面に取り付けられた、少なくとも１つの交換可能な保護粘着フィルム（１）を含み、交換可能な前記保護粘着フィルム（１）は、前記主表面と接触し、かつ接着性物質（４）で被覆された第一の面（３）と、グラフィック及び包装産業で用いられる前記インキ、ワニス及び溶剤及び／又は糊／接着剤及び／又は染料のような強い薬剤に対して高い撥液性を有するワニス（６）で被覆された、前記第一の面（３）の反対側の第二の面（５）と、を有するポリマー基材（２）を含むことを特徴とする、現像機、コンピュータ・トゥ・プレート、糊付け機、打抜き機その他同様のもの。
【発明の詳細な説明】
【技術分野】
【０００１】
本発明は、グラフィック−編集産業において、包装印刷、プリプレス及び印刷物加工のために用いられる、例えば、オフセット、フレキソ、輪転グラビア及びデジタル印刷機、現像機、コンピュータ・トゥ・プレート、糊付け及び打抜き機等の機械に関する。
【背景技術】
【０００２】
これらの機械は、インキ及び染料が飛び散るような製造速度に達し、特定のプロセスでは糊及び接着剤もまた飛び散り、これらの飛び散りに、インキ又は接着剤又は染料が偶発的にこぼれること又はオペレータの不注意によって生じる汚れが加わることがあり、それが外部構造上に付着してこれを広範に汚すことになる。
【０００３】
これらのしみは、除去するのが特に困難であり、そしてまた、例えば、埃、グリース及びオイルといった工業製造環境に特有の通常の汚れの蓄積にも加わることになる。清掃のためには、時間が経つと、印刷機の外側を覆う塗装に回復不能な損傷を与える強い溶剤を用いなければならず、その結果、印刷機の商業的価値を損なうことになる。
【発明の概要】
【発明が解決しようとする課題】
【０００４】
本発明の課題は、公知技術では不満がある技術的欠点を排除することを可能にする印刷機を作り出すことである。
【０００５】
この技術的課題の範囲において、本発明の目的は、少なくとも、インキ及び／又はワニス及び／又は糊／接着剤の飛び散りよる及び通常の汚れの蓄積による影響を最も受ける主表面が保護された、印刷機を作り出すことである。
【０００６】
本発明の更なる目的は、保守作業をスピードアップする、場合によっては不熟練人員に保守作業を割り当てることさえ可能にする、印刷機を得ることである。
【課題を解決するための手段】
【０００７】
本発明による技術的課題、並びにこれらの及びその他の目的は、少なくとも、インキ、ワニス、糊又は染料の飛び散りによる及び通常の汚れの蓄積による影響を最も受ける主表面に取り付けられた、少なくとも１つの保護的な粘着性の交換可能なフィルムを含むことによって特徴付けられる印刷機を作り出すことによって達成され、この保護フィルムは、接着剤で被覆された第一の面と、グラフィック及び包装産業で用いられる全てのタイプのインキ及びワニスに対する撥液性、及び場合によっては同分野で用いられる糊及び接着剤に対する撥液性を保証する処理によって清掃の容易さ及び最も一般的な洗浄液に対する適切な耐薬品性を保証するように適切に修飾された、第一の面の反対側の第二の面と、を有する、少なくとも１つのポリマー基材を含む。
【０００８】
本発明は、少なくとも、インキ、ワニス、糊又は染料の飛び散りによる及び通常の汚れの蓄積による影響を最も受ける主表面に取り付けられた、少なくとも１つの保護的な粘着性の交換可能なフィルムを含むことによって特徴付けられる現像機、コンピュータ・トゥ・プレート、糊付け及び打抜き機等にも適用され、この保護フィルムは、接着剤で被覆された第一の面と、グラフィック及び包装産業で用いられる全てのタイプのインキ及びワニスに対する撥液性を保証するような処理で適切に修飾された、第一の面の反対側の第二の面と、を有する、少なくとも１つのポリマー基材を含む。
【０００９】
保護フィルムは、印刷機、現像機、コンピュータ・トゥ・プレート、糊付け及び打抜き機等の構造体の外形に容易に追従して適合するのに適した力学的性質を有することが好ましい。
【００１０】
インキ、糊及び染料に対するその撥液性のため、保護フィルムは、容易な定期保守を可能にし、これが機械を長期にわたって引っ掻き及び摩耗から守る。
【００１１】
交換可能保護フィルムは、保護すべき部分に完璧に接着することができるとともにそこから容易に除去することができるように構成された接着剤被覆を有するので、必要な場合には残渣を残さずに交換することができる。
【００１２】
保護フィルムは、該保護フィルムを硬くさせず、貼付するときに裂け及び／又は割れを形成することなく容易に熱成形可能に保たせるような、力学的及び熱的性質を有することが好ましい。
【００１３】
保護フィルムは、不熟練人員であっても初期貼付又は保守ができるように、保護される印刷機の具体的な型式に合わせて適切に打抜きされた形で提供することができることが好ましい。
【００１４】
保護フィルムは、印刷機を完全に保護するのに十分な枚数を収容したパックで、付属品として販売することができる。
【００１５】
保護フィルムは、必要であれば、エンドユーザの具体的な要求に応じて、商標、ロゴ又は文字を印刷することによってカスタマイズすることができる。
【００１６】
この場合、接着剤で被覆された印刷可能なポリマー基材を用いることが好ましく、予め印刷されたポリマー基材上に保護表面処理が行われる。
【００１７】
本発明の更なる特徴は、以下の特許請求の範囲でも定義される。
【００１８】
本発明の更なる特徴及び利点は、添付の図面において暗示的かつ非限定的な例によって示される、本発明による印刷機の好ましいが排他的ではない実施形態の説明から、より完全に明らかになるであろう。
【図面の簡単な説明】
【００１９】
【図１】保護フィルムの構造を示す。
【図２】保護フィルムを用いたオフセット印刷機を示す。
【発明を実施するための形態】
【００２０】
上記図面を参照すると、版胴と、完備したインキ着け及び湿し水着け装置とを支持する側部又は肩部１２を支持するのに適した基部１１を含む、印刷機１０が示される。
【００２１】
本発明の範囲内に入るその他のタイプの印刷機、現像機、コンピュータ・トゥ・プレート、糊付け及び打抜き機等に関して、仕様は、版胴を含まない（例えば、デジタル機において）及び／又は完全なインキ漬け及び／又は湿し水着け装置を含まない場合がある。
【００２２】
この機械は、少なくとも、インキ及び／又はワニスの飛び散りによる及び通常の汚れの蓄積による影響を最も受ける主表面１６のための、保護手段を含む。
【００２３】
具体的には、保護手段は、主表面１６に取り付け可能な少なくとも１つの保護フィルム１を含む。
【００２４】
保護フィルム１は、主表面１６と接触する、接着性物質４で被覆された第一の面３と、第一の面３の反対側の、グラフィック及び包装産業で用いられるインキ、ワニス、糊／接着剤及び溶剤のような強い薬剤に対して高い撥液性を有するワニス６で被覆された第二の面５と、を有する基材２を含む。
【００２５】
接着性物質４は、一様な厚さの層の形態であることが好ましい。
【００２６】
ワニス６もまた、基材２の第二の面５を完全に被覆する一様な厚さの層の形態である。
【００２７】
保護フィルム１は、熱成形可能であり、印刷機の主表面の外形に適合可能である。
【００２８】
ワニス６は、接着剤被覆基材２と実質的に同じ伸び率及び熱成形性の物理的性質を有することが有利である。
【００２９】
保護フィルムは更に、印刷機、現像機、コンピュータ・トゥ・プレート、糊付け及び打抜き機等の主表面の形状に打抜きされ、これは機械毎に異なり得る。
【００３０】
保護フィルム１は、総厚が２５μｍと５００μｍとの間であることが好ましく、一方で接着剤被覆基材２は単独で２０μｍを超える厚さを有し、必要であれば印刷可能である。
【００３１】
基材２は、ＰＶＣ、ポリウレタン、ポリエステル、ポリカーボネート、ポリアクリレート、再生可能資源、例えば植物由来のものから生成されたコポリマー及びポリマーブレンド又はポリマーのうちの少なくとも１つを含む材料で作成することができる。
【００３２】
接着性物質４は、アクリル系、ＵＶ系、及び溶剤型とすることができる。
【００３３】
基材２の第二の面５に表面仕上げとして塗工されるワニス６は、紫外線領域内若しくは紫外線領域と可視領域との間に含まれる領域内若しくは可視領域内の少なくとも１つの波長を有する放射線によって架橋可能なタイプのものとすることができ、又は、水性若しくは溶剤型、一液性若しくは二液性、熱硬化性若しくは触媒型とすることができる。
【００３４】
有利には、ワニス６は、低圧蛍光ランプ又は高圧水銀のみ若しくはこれにＦｅ、Ｐｂ、Ａｓ、Ｇａ、Ｉｎ若しくはその他の金属のハロゲン化物を加えたものによるランプが発する光で架橋可能な、又はパルスドキセノンランプで架橋可能なタイプであることが好ましい。
【００３５】
あるいは、ワニス６は、２００ｎｍと４５０ｎｍとの間の領域内の様々な波長で発光するＬＥＤ光源で架橋可能なタイプとすることができる。
【００３６】
この保護ワニス６は、５０μｍ未満の厚さ、好ましくは２５μ未満の厚さを有する。
【００３７】
ワニス６は、基材２に対する優れた接着性、高い可撓性、高い耐引掻性、高い伸び能力、高い熱成形性、優れた耐溶剤性、様々なタイプのインキ（グリース型、水性、又は溶剤型）に対する高い撥液性を同時に達成するのに適した化学的及び物理的性質を有し、広範な洗浄液で、様々なタイプの糊／接着剤（典型的にはアクリル系分散液）が非常に簡単に清掃され、全てのタイプのインキ（グリース型、水系、又は溶剤型）が非常に簡単に清掃される。
【００３８】
これらの性質を得るためには、接着能力、可撓性、耐薬品性、伸び及び熱成形性を与える１以上の多官能性脂肪族アクリル化ウレタン、接着能力、濡れ性、可撓性を与える１以上の単官能性及び二官能性アクリレートモノマー、疎水性、撥油性、離型性を与える１以上のフッ素化ポリマー、離型性並びに耐薬品性及び力学抵抗を与える、マイクロ及びナノ粒子及び／又は官能化粒子の形態の１以上のアクリル化シリコーン及び／又はシリカを適切な濃度で与える、ワニス６のための配合を用いることが好都合であることが示されている。
【００３９】
ワニス６の配合はまた、アルファ−ヒドロキシケトン、ケトン誘導ホスフィンオキシド及びモルホリンを、重合速度及び重合度を与えるラジカル光開始剤として指定することも好ましい。
【００４０】
ワニス６は、溶剤を使用せずに配合することが好ましい。
【００４１】
あるいは、ＵＶワニスをカチオン機構で配合することができ、又は上記要件を満たすという条件で、非ＵＶ系の水性、溶剤型若しくは二液性のワニスとすることができる。
【００４２】
本発明の好ましい実施形態に従う保護フィルムの幾つかの例を以下に示す。
【００４３】
ワニスは、全て公知の技術、例えば、塗布、フレキソ印刷、輪転グラビア、リバースロールコーティング、スクリーン印刷、又はデジタル印刷技術を含むその他の方法により、シート又はリール形態で塗工することができる。
【００４４】
実施例１
スクリーン印刷プロセスを用いて、ＲＩＴＲＡＭＡ  ＳｐＡ製のＲＩ−ＪＥＴ  ７５  ＧＬＯＳＳ  ＣＬＥＡＲ  ＡＳＰ２６  ＰＥＲＭＡＮＥＮＴ  ＷＫ１３５の７５μｍフィルムを１２２ｃｍ×２３．５ｃｍの寸法で打抜いたシートの、接着剤で被覆されていない面上に、以下の百分率で示される配合によって生成される１０μｍ厚のＵＶ架橋ワニスを塗工する。
【表１】
2016503355.tif 000003
このシートを用いて、２０１１  Ｋｏｍｏｒｉ  Ｇ４０印刷機の右肩部の片側を保護する。
【００４５】
実施例２
７５μｍのＲＩＴＲＡＭＡ  ＳｐＡ製のＲＩ−ＪＥＴ  ７５  ＣＬＥＡＲ  ＰＥ  ＧＬＯＳＳ  ＣＬＥＡＲ  ＡＳＰ２６  ＰＥＲＭＡＮＥＮＴ  ＷＫＰＥ１４４フィルムのリールの、接着剤で被覆されていない面上に、溶剤インキジェットプリンタを用いて装飾図柄を印刷する。次に、フレキソ印刷プロセスを用いて、以下の百分率で示される配合によって生成される４μｍ厚のＵＶ架橋ワニスを塗工する。
【表２】
2016503355.tif 000004
【００４６】
実施例３
輪転グラビアプロセスを用いて、ＡＶＥＲＹ  ＤＥＮＮＩＳＯＮグラフィックス事業部製の１５０μｍ厚のＡｖｅｒｙ（登録商標）７５４１透明ＰＶＣ機能性フィルムのリールの、接着剤で被覆されていない面上に、以下の百分率で示される配合によって生成される６μｍ厚のＵＶ架橋ワニスを塗工する。
【表３】
2016503355.tif 000005
【００４７】
本発明による印刷機は、図２に示すオフセット印刷機以外のものを含む任意のタイプの印刷機とすることができる。例えば、適用分野は、輪転オフセット、輪転グラビア、フレキソ又はデジタル等の印刷機にまで拡げることができる。
【００４８】
本発明による印刷機は、グラフィック及び包装産業で用いられる全てのタイプのインキ及びワニスに対して、及び場合によっては同分野で用いられる糊及び接着剤に対して撥液性の保護フィルムを設けることにより、専門の人員を必要とせずに、極めて簡単に清掃可能及び洗浄可能である。
【００４９】
ここで考案された印刷機には、全てが本発明の概念の範囲内に入る多くの変更及び変形が可能であり、更に、全ての詳細は、技術的に均等な要素で置き換え可能である。
【００５０】
用いられる材料、並びに寸法は、実際には、要求仕様及び技術水準に応じて任意のタイプのものにすることができる。
【図１】
2016503355.tif 000006
【図２】
2016503355.tif 000007
【国際調査報告】
2016503355.tif 000008
2016503355.tif 000009
2016503355.tif 000010